【手続補正書】
【提出日】平成17年10月25日(2005.10.25)
【手続補正１】
【補正対象書類名】明細書
【補正対象項目名】発明の名称
【補正方法】変更
【補正の内容】
【発明の名称】画像形成装置及びその制御方法、画像形成システム、並びに制御プログラム
【手続補正２】
【補正対象書類名】明細書
【補正対象項目名】特許請求の範囲
【補正方法】変更
【補正の内容】
【特許請求の範囲】
【請求項１】  入力画像データに情報を付加する情報付加手段と、前記情報付加手段から出力された画像データの印字処理を行う画像印字手段とを備えた画像形成装置であって、
原稿から読み取った画像データを入力する画像入力手段と、
前記画像入力手段から入力された画像データに前記情報が付加されているか否かを判定し、前記情報が付加されている場合にその情報を読み取る付加情報認識手段と、
前記付加情報認識手段で読み取られた前記情報に対応して記憶装置に記憶されている画像データを検索して取り込む画像取り込み手段と、
前記付加情報認識手段の判定結果に応じて、前記情報の消去／非消去の処理を行う情報消去手段とを有し、
前記情報付加手段は、前記画像取り込み手段による取り込み画像データを前記情報消去手段の処理結果に従って処理し前記画像印字手段へ出力することを特徴とする画像形成装置。
【請求項２】  前記付加情報認識手段によって前記情報が付加されていると判定された場合に、前記情報消去手段は、前記情報を消去し、前記情報付加手段は、前記情報消去手段によって前記情報の付加部分を消去した形で、前記画像取り込み手段による取り込み画像データを前記画像印字手段へ出力することを特徴とする請求項１に記載の画像形成装置。
【請求項３】  入力画像データに情報を付加する情報付加手段と、前記情報付加手段から出力された画像データの印字処理を行う画像印字手段とを備えた画像形成装置であって、
原稿から読み取った画像データを入力する画像入力手段と、
前記画像入力手段から入力された画像データに前記情報が付加されているか否かを判定し、前記情報が付加されている場合にその情報を読み取る付加情報認識手段と、
前記付加情報認識手段で読み取られた前記情報に対応して記憶装置に記憶されている画像データを検索して取り込む画像取り込み手段とを有し、
前記情報付加手段は、前記付加情報認識手段の判定結果に応じて、前記画像取り込み手段による取り込み画像データに対して前記情報を付加するか否かを切り替えることを特徴とする画像形成装置。
【請求項４】  前記付加情報認識手段によって前記情報が付加されていると判定された場合に、前記情報付加手段は、前記画像取り込み手段による取り込み画像データに前記情報を付加しないで前記画像印字手段へ出力することを特徴とする請求項３に記載の画像形成装置。
【請求項５】  前記情報は、入力画像データが保存された場所情報であることを特徴とする請求項１乃至４に記載の画像形成装置。
【請求項６】  前記情報は、バーコード又はＵＲＬであることを特徴とする請求項５に記載の画像形成装置。
【請求項７】  入力画像データに情報を付加する情報付加手段と、前記情報付加手段から出力された画像データの印字処理を行う画像印字手段とを有する画像形成装置と、該画像形成装置に通信媒体を介して接続され前記入力画像データを記憶する記憶装置とを備えた画像形成システムであって、
前記画像形成装置は、原稿から読み取った画像データを入力する画像入力手段と、
前記画像入力手段から入力された画像データに前記情報が付加されているか否かを判定し、前記情報が付加されている場合にその情報を読み取る付加情報認識手段と、
前記付加情報認識手段で読み取られた前記情報に対応する画像データを前記記憶装置から検索して取り込む画像取り込み手段と、
前記付加情報認識手段の判定結果に応じて、前記情報の消去／非消去の処理を行う情報消去手段とを有し、
前記情報付加手段は、前記画像取り込み手段による取り込み画像データを前記情報消去手段の処理結果に従って処理し前記画像印字手段へ出力することを特徴とする画像形成システム。
【請求項８】  入力画像データに情報を付加する情報付加手段と、前記情報付加手段から出力された画像データの印字処理を行う画像印字手段とを有する画像形成装置と、該画像形成装置に通信媒体を介して接続され前記入力画像データを記憶する記憶装置とを備えた画像形成システムであって、
前記画像形成装置は、
原稿から読み取った画像データを入力する画像入力手段と、
前記画像入力手段から入力された画像データに前記情報が付加されているか否かを判定し、前記情報が付加されている場合にその情報を読み取る付加情報認識手段と、
前記付加情報認識手段で読み取られた前記情報に対応する画像データを前記画像形成装置から検索して取り込む画像取り込み手段とを有し、
前記情報付加手段は、前記付加情報認識手段の判定結果に応じて、前記画像取り込み手段による取り込み画像データに対して前記情報を付加するか否かを切り替えることを特徴とする画像形成システム。
【請求項９】  入力画像データに情報を付加する情報付加行程と、前記情報付加行程から出力された画像データの印字処理を行う画像印字行程とを備えた画像形成装置の制御方法であって、
原稿から読み取った画像データを入力する画像入力行程と、
前記画像入力行程で入力された画像データに前記情報が付加されているか否かを判定し、前記情報が付加されている場合にその情報を読み取る付加情報認識行程と、
前記付加情報認識行程で読み取られた前記情報に対応して記憶装置に記憶されている画像データを検索して取り込む画像取り込み行程と、
前記付加情報認識行程の判定結果に応じて、前記情報の消去／非消去の処理を行う情報消去行程とを有し、
前記情報付加行程は、前記画像取り込み行程による取り込み画像データを前記情報消去行程の処理結果に従って処理し前記画像印字行程へ出力することを特徴とする画像形成装置の制御方法。
【請求項１０】  入力画像データに情報を付加する情報付加行程と、前記情報付加行程で得られた画像データの印字処理を行う画像印字行程とを備えた画像形成装置の制御方法であって、
原稿から読み取った画像データを入力する画像入力行程と、
前記画像入力行程から入力された画像データに前記情報が付加されているか否かを判定し、前記情報が付加されている場合にその情報を読み取る付加情報認識行程と、
前記付加情報認識行程で読み取られた前記情報に対応して記憶装置に記憶されている画像データを検索して取り込む画像取り込み行程とを有し、
前記情報付加行程は、前記付加情報認識行程の判定結果に応じて、前記画像取り込み行程による取り込み画像データに対して前記情報を付加するか否かを切り替えることを特徴とする画像形成装置の制御方法。
【請求項１１】  入力画像データに情報を付加する情報付加ステップと、前記情報付加ステップで得られた画像データの印字処理を行う画像印字ステップとを備えた画像形成装置の制御方法を実行するために、コンピュータで読み取り可能な制御プログラムであって、
原稿から読み取った画像データを入力する画像入力ステップと、
前記画像入力ステップで入力された画像データに前記情報が付加されているか否かを判定し、前記情報が付加されている場合にその情報を読み取る付加情報認識ステップと、
前記付加情報認識ステップで読み取られた前記情報に対応して記憶装置に記憶されている画像データを検索して取り込む画像取り込みステップと、
前記付加情報認識ステップの判定結果に応じて、前記情報の消去／非消去の処理を行う情報消去ステップとを有し、
前記情報付加ステップは、前記画像取り込みステップによる取り込み画像データを前記情報消去ステップの処理結果に従って処理し前記画像印字ステップへ出力することを特徴とする制御プログラム。
【請求項１２】  入力画像データに情報を付加する情報付加ステップと、前記情報付加ステップで得られた画像データの印字処理を行う画像印字ステップとを備えた画像形成装置の制御方法を実行するために、コンピュータで読み取り可能な制御プログラムであって、
原稿から読み取った画像データを入力する画像入力ステップと、
前記画像入力ステップから入力された画像データに前記情報が付加されているか否かを判定し、前記情報が付加されている場合にその情報を読み取る付加情報認識ステップと、前記付加情報認識ステップで読み取られた前記情報に対応して記憶装置に記憶されている画像データを検索して取り込む画像取り込みステップとを有し、
前記情報付加ステップは、前記付加情報認識ステップの判定結果に応じて、前記画像取り込みステップによる取り込み画像データに対して前記情報を付加するか否かを切り替えることを特徴とする制御プログラム。
【手続補正３】
【補正対象書類名】明細書
【補正対象項目名】０００１
【補正方法】変更
【補正の内容】
【０００１】
【発明の属する技術分野】
本発明は、複写機などの画像形成装置及びその制御方法、前記画像形成装置を備えた画像形成システム、並びに前記制御方法を実行するための制御プログラムに関するものである。
【手続補正４】
【補正対象書類名】明細書
【補正対象項目名】０００６
【補正方法】変更
【補正の内容】
【０００６】
本発明は上記従来の問題点に鑑み、原稿のオリジナルに関わる情報が付加された印刷画像を読み込むことにより、自動的にその原稿のオリジナル画像を取り出すことが可能な画像形成装置において、オリジナル原稿に対するセキュリティの向上を可能にした画像形成装置及びその制御方法、画像形成システム、並びに制御プログラムを提供することを目的とする。
【手続補正５】
【補正対象書類名】明細書
【補正対象項目名】０００７
【補正方法】変更
【補正の内容】
【０００７】
【課題を解決するための手段】
上記目的を達成するために、本発明の画像形成装置では、入力画像データに情報を付加する情報付加手段と、前記情報付加手段から出力された画像データの印字処理を行う画像印字手段とを備えた画像形成装置であって、原稿から読み取った画像データを入力する画像入力手段と、前記画像入力手段から入力された画像データに前記情報が付加されているか否かを判定し、前記情報が付加されている場合にその情報を読み取る付加情報認識手段と、前記付加情報認識手段で読み取られた前記情報に対応して記憶装置に記憶されている画像データを検索して取り込む画像取り込み手段と、前記付加情報認識手段の判定結果に応じて、前記情報の消去／非消去の処理を行う情報消去手段とを有し、前記情報付加手段は、前記画像取り込み手段による取り込み画像データを前記情報消去手段の処理結果に従って処理し前記画像印字手段へ出力することを特徴とする。
本発明の画像形成装置では、入力画像データに情報を付加する情報付加手段と、前記情報付加手段から出力された画像データの印字処理を行う画像印字手段とを備えた画像形成装置であって、原稿から読み取った画像データを入力する画像入力手段と、前記画像入力手段から入力された画像データに前記情報が付加されているか否かを判定し、前記情報が付加されている場合にその情報を読み取る付加情報認識手段と、前記付加情報認識手段で読み取られた前記情報に対応して記憶装置に記憶されている画像データを検索して取り込む画像取り込み手段とを有し、前記情報付加手段は、前記付加情報認識手段の判定結果に応じて、前記画像取り込み手段による取り込み画像データに対して前記情報を付加するか否かを切り替えることを特徴とする。
本発明の画像形成システムでは、入力画像データに情報を付加する情報付加手段と、前記情報付加手段から出力された画像データの印字処理を行う画像印字手段とを有する画像形成装置と、該画像形成装置に通信媒体を介して接続され前記入力画像データを記憶する記憶装置とを備えた画像形成システムであって、前記画像形成装置は、原稿から読み取った画像データを入力する画像入力手段と、前記画像入力手段から入力された画像データに前記情報が付加されているか否かを判定し、前記情報が付加されている場合にその情報を読み取る付加情報認識手段と、前記付加情報認識手段で読み取られた前記情報に対応する画像データを前記記憶装置から検索して取り込む画像取り込み手段と、前記付加情報認識手段の判定結果に応じて、前記情報の消去／非消去の処理を行う情報消去手段とを有し、前記情報付加手段は、前記画像取り込み手段による取り込み画像データを前記情報消去手段の処理結果に従って処理し前記画像印字手段へ出力することを特徴とする。
本発明の画像形成システムは、入力画像データに情報を付加する情報付加手段と、前記情報付加手段から出力された画像データの印字処理を行う画像印字手段とを有する画像形成装置と、該画像形成装置に通信媒体を介して接続され前記入力画像データを記憶する記憶装置とを備えた画像形成システムであって、前記画像形成装置は、原稿から読み取った画像データを入力する画像入力手段と、前記画像入力手段から入力された画像データに前記情報が付加されているか否かを判定し、前記情報が付加されている場合にその情報を読み取る付加情報認識手段と、前記付加情報認識手段で読み取られた前記情報に対応する画像データを前記画像形成装置から検索して取り込む画像取り込み手段とを有し、前記情報付加手段は、前記付加情報認識手段の判定結果に応じて、前記画像取り込み手段による取り込み画像データに対して前記情報を付加するか否かを切り替えることを特徴とする。
本発明の画像形成装置の制御方法は、入力画像データに情報を付加する情報付加行程と、前記情報付加行程から出力された画像データの印字処理を行う画像印字行程とを備えた画像形成装置の制御方法であって、原稿から読み取った画像データを入力する画像入力行程と、前記画像入力行程で入力された画像データに前記情報が付加されているか否かを判定し、前記情報が付加されている場合にその情報を読み取る付加情報認識行程と、前記付加情報認識行程で読み取られた前記情報に対応して記憶装置に記憶されている画像データを検索して取り込む画像取り込み行程と、前記付加情報認識行程の判定結果に応じて、前記情報の消去／非消去の処理を行う情報消去行程とを有し、前記情報付加行程は、前記画像取り込み行程による取り込み画像データを前記情報消去行程の処理結果に従って処理し前記画像印字行程へ出力することを特徴とする。
本発明の画像形成装置の制御方法は、入力画像データに情報を付加する情報付加行程と、前記情報付加行程で得られた画像データの印字処理を行う画像印字行程とを備えた画像形成装置の制御方法であって、原稿から読み取った画像データを入力する画像入力行程と、前記画像入力行程から入力された画像データに前記情報が付加されているか否かを判定し、前記情報が付加されている場合にその情報を読み取る付加情報認識行程と、前記付加情報認識行程で読み取られた前記情報に対応して記憶装置に記憶されている画像データを検索して取り込む画像取り込み行程とを有し、前記情報付加行程は、前記付加情報認識行程の判定結果に応じて、前記画像取り込み行程による取り込み画像データに対して前記情報を付加するか否かを切り替えることを特徴とする。
本発明の制御プログラムは、入力画像データに情報を付加する情報付加ステップと、前記情報付加ステップで得られた画像データの印字処理を行う画像印字ステップとを備えた画像形成装置の制御方法を実行するために、コンピュータで読み取り可能な制御プログラムであって、原稿から読み取った画像データを入力する画像入力ステップと、前記画像入力ステップで入力された画像データに前記情報が付加されているか否かを判定し、前記情報が付加されている場合にその情報を読み取る付加情報認識ステップと、前記付加情報認識ステップで読み取られた前記情報に対応して記憶装置に記憶されている画像データを検索して取り込む画像取り込みステップと、前記付加情報認識ステップの判定結果に応じて、前記情報の消去／非消去の処理を行う情報消去ステップとを有し、前記情報付加ステップは、前記画像取り込みステップによる取り込み画像データを前記情報消去ステップの処理結果に従って処理し前記画像印字ステップへ出力することを特徴とする。
本発明の制御プログラムは、入力画像データに情報を付加する情報付加ステップと、前記情報付加ステップで得られた画像データの印字処理を行う画像印字ステップとを備えた画像形成装置の制御方法を実行するために、コンピュータで読み取り可能な制御プログラムであって、原稿から読み取った画像データを入力する画像入力ステップと、前記画像入力ステップから入力された画像データに前記情報が付加されているか否かを判定し、前記情報が付加されている場合にその情報を読み取る付加情報認識ステップと、前記付加情報認識ステップで読み取られた前記情報に対応して記憶装置に記憶されている画像データを検索して取り込む画像取り込みステップとを有し、前記情報付加ステップは、前記付加情報認識ステップの判定結果に応じて、前記画像取り込みステップによる取り込み画像データに対して前記情報を付加するか否かを切り替えることを特徴とする。
【手続補正６】
【補正対象書類名】明細書
【補正対象項目名】０１２６
【補正方法】変更
【補正の内容】
【０１２６】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【手続補正７】
【補正対象書類名】明細書
【補正対象項目名】０１２７
【補正方法】削除
【補正の内容】
【手続補正８】
【補正対象書類名】明細書
【補正対象項目名】０１２８
【補正方法】削除
【補正の内容】
【手続補正９】
【補正対象書類名】明細書
【補正対象項目名】０１２９
【補正方法】削除
【補正の内容】
【手続補正１０】
【補正対象書類名】明細書
【補正対象項目名】０１３０
【補正方法】削除
【補正の内容】
【手続補正１１】
【補正対象書類名】明細書
【補正対象項目名】０１３１
【補正方法】削除
【補正の内容】
【手続補正１２】
【補正対象書類名】明細書
【補正対象項目名】０１３２
【補正方法】削除
【補正の内容】
【手続補正１３】
【補正対象書類名】明細書
【補正対象項目名】０１３３
【補正方法】削除
【補正の内容】
【手続補正１４】
【補正対象書類名】明細書
【補正対象項目名】０１３４
【補正方法】削除
【補正の内容】
【手続補正１５】
【補正対象書類名】明細書
【補正対象項目名】０１３５
【補正方法】削除
【補正の内容】
【手続補正１６】
【補正対象書類名】明細書
【補正対象項目名】０１３６
【補正方法】削除
【補正の内容】
【手続補正１７】
【補正対象書類名】明細書
【補正対象項目名】０１３７
【補正方法】削除
【補正の内容】
【手続補正１８】
【補正対象書類名】明細書
【補正対象項目名】０１３８
【補正方法】削除
【補正の内容】